【手続補正書】
【提出日】平成31年1月9日(2019.1.9)
【手続補正１】
【補正対象書類名】特許請求の範囲
【補正対象項目名】全文
【補正方法】変更
【補正の内容】
【特許請求の範囲】
【請求項１】
駆動アセンブリに作動的に取り付けられるクイックマウント／リリース式の多位置型マイクロ流体弁機構であって、
アクチュエータアセンブリであって、
近位部および遠位部を有するとともに、その中を通って延びる貫通室を画成しているアクチュエータハウジングであって、前記遠位部は、遠位において該アクチュエータハウジングの遠位縁部で終端している内周壁を有し、前記内周壁は、前記貫通室の遠位部で受容キャビティ内への開口を画成している、アクチュエータハウジングと、
シャフト回転軸の周りでの回転用に、前記貫通室内に回転配置されたアクチュエータシャフトであって、駆動アセンブリに連結するように構成された近位端と、前記受容キャビティ内で終端している遠位端と、を有するアクチュエータシャフトと、を備えるアクチュエータアセンブリと、
弁シャフトを回転可能に支持するポッドハウジングを有する回転弁アセンブリであって、前記弁シャフトは、前記ポッドハウジングから近位に延びる近位端部を有し、前記ポッドハウジングは、前記アクチュエータハウジングから切り離された非装着状態と装着状態との間で軸方向にスライドして前記アクチュエータアセンブリの前記受容キャビティ内に受容されるように形状設定および寸法設定された近位挿入部を有し、装着状態では、前記近位挿入部は、前記アクチュエータハウジングの内周壁に密接係合しており、さらに、前記弁シャフトの前記近位端部は、前記アクチュエータシャフトの前記遠位端によるクロックを受けるとともに、それに作動的に係合している、回転弁アセンブリと、
前記回転弁アセンブリを前記アクチュエータアセンブリに対して取り外し可能に、迅速に、前記装着状態で作動的に取付係合させることを、ねじ式取付構造を用いることなく可能とするように、前記回転弁アセンブリの前記近位挿入部と前記アクチュエータハウジングの前記遠位部との間で協働するクイックマウント／リリース機構と、を含む弁機構。
【請求項２】
前記クイックマウント／リリース機構は、
前記アクチュエータハウジングの遠位部に沿って配置された第１のハウジング窓であって、前記受容キャビティ内に連通するように前記アクチュエータハウジングの外壁から前記内周壁まで及ぶ第１のハウジング窓と、
第１のクリップアセンブリであって、後退位置と延出状態との間で径方向に動くように、前記ポッドハウジングの近位挿入部に結合された第１のボタン部と、前記第１のボタン部を径方向外向きに前記延出状態に向けて付勢する第１の付勢装置と、を有する第１のクリップアセンブリと、を含み、
前記第１のボタン部が前記後退位置にあるときには、前記回転弁アセンブリを前記非装着状態から前記装着状態に移行可能に、前記ポッドハウジングの前記近位挿入部を前記アクチュエータアセンブリの前記内周壁の中に手で挿入することが可能であり、
前記第１のボタン部が前記延出状態にあって、かつ前記回転弁アセンブリが前記装着状態にあるときに、前記第１のボタン部は、その動作中に軸方向に離脱することを防ぐようにして、前記第１のハウジング窓の中に貫通して径方向に延出するようにサイズ設定および寸法設定されている、請求項１に記載のクイックマウント／リリース式の多位置型マイクロ流体弁機構。
【請求項３】
前記クイックマウント／リリース機構は、
前記第１のハウジング窓と略反対の方位に、前記アクチュエータハウジングの遠位部に沿って配置された第２のハウジング窓であって、前記受容キャビティ内に連通するように前記アクチュエータハウジングの前記外壁から前記内周壁まで及ぶ第２のハウジング窓と、
第２のクリップアセンブリであって、その後退位置とその延出状態との間で径方向に動くように、前記第１のクリップアセンブリと略反対のその方位で前記ポッドハウジングの近位挿入部に結合された第２のボタン部と、前記第２のボタン部を径方向外向きに前記延出状態に向けて付勢する第２の付勢装置と、を有する第２のクリップアセンブリと、をさらに含み、
前記第２のボタン部が前記その後退位置にあるときには、前記回転弁アセンブリを前記非装着状態から前記装着状態に移行可能に、前記ポッドハウジングの前記近位挿入部を前記アクチュエータアセンブリの前記内周壁の中に手で挿入することが可能であり、
前記第２のボタン部が前記延出状態にあって、かつ前記回転弁アセンブリが前記装着状態にあるときに、前記第２のボタン部は、その動作中に軸方向に離脱することを防ぐようにして、前記第２のハウジング窓の中に貫通して径方向に延出するようにサイズ設定および寸法設定されている、請求項２に記載のクイックマウント／リリース式の多位置型マイクロ流体弁機構。
【請求項４】
前記回転弁アセンブリと前記アクチュエータハウジングとの間で協働するアライメント装置であって、前記装着状態においてそれらの間で位置合わせされた取り付けを確保するためのアライメント装置をさらに含む、請求項３に記載のクイックマウント／リリース式の多位置型マイクロ流体弁機構。
【請求項５】
前記アライメント装置は、前記第１のハウジング窓および対応する前記第１のボタン部を含み、これらは、前記第２のハウジング窓および対応する第２のボタン部のそれとは異なる横断面フットプリントを有する、請求項４に記載のクイックマウント／リリース式の多位置型マイクロ流体弁機構。
【請求項６】
前記アライメント装置は、前記第１のハウジング窓および対応する前記第１のボタン部を含み、これらは、前記第２のハウジング窓および対応する第２のボタン部のそれから前記シャフト回転軸に沿って軸方向に離間している、請求項４に記載のクイックマウント／リリース式の多位置型マイクロ流体弁機構。
【請求項７】
前記第１と第２の付勢装置は、０．８７５６Ｎ／ｍｍ〜３．５０３Ｎ／ｍｍの範囲内のそれぞれの径方向ばね定数で、それぞれ前記第１のボタン部と第２のボタン部を径方向外向きに付勢している、請求項３に記載のクイックマウント／リリース式の多位置型マイクロ流体弁機構。
【請求項８】
前記第１のボタン部と前記第２のボタン部の各々は、前記シャフト回転軸に対して略垂直に向いた略平坦な上壁をそれぞれ有し、それぞれの延出状態では、それぞれの前記上壁は、それぞれ前記第１のボタン部と前記第２のボタン部が前記延出状態から前記後退位置に向けて動かされない限り、前記回転弁アセンブリが前記装着状態から前記非装着状態に向けて動くことを阻止する、請求項３に記載のクイックマウント／リリース式の多位置型マイクロ流体弁機構。
【請求項９】
前記第１のボタン部と前記第２のボタン部の各々は、それぞれの上壁と交差する急峻な外向きテーパ状の底壁を有する、請求項８に記載のクイックマウント／リリース式の多位置型マイクロ流体弁機構。
【請求項１０】
前記第１のボタン部と前記第２のボタン部は、半円形の横断面寸法をそれぞれ有する略半円筒状であり、
前記第１のハウジング窓と前記第２のハウジング窓の各々は、内側上方に向かうテーパ状であるそれぞれの上側内縁によって部分的に画成されており、前記回転弁アセンブリが装着状態から非装着状態に向けて手で付勢されると、前記第１のボタン部と前記第２のボタン部の各々は、その曲面状の上壁がそれぞれ対応する前記第１のハウジング窓と前記第２のハウジング窓の上側内縁と接触することによって、それが延出状態から後退位置に向けてそれぞれの径方向内側へ向かう動きが促される、請求項３に記載のクイックマウント／リリース式の多位置型マイクロ流体弁機構。
【請求項１１】
前記第１のハウジング窓と第２のハウジング窓の各々の上側内縁の、それぞれ前記内側上方に向かうテーパ状は、３５°〜５５°の範囲内である、請求項１０に記載のクイックマウント／リリース式の多位置型マイクロ流体弁機構。
【請求項１２】
前記回転弁アセンブリは、前記ポッドハウジングの前記近位挿入部の遠位部に結合された環状カラー部をさらに有し、前記近位挿入部の外面は略円筒状であり、
前記装着状態において、前記環状カラー部は、前記アクチュエータハウジングの前記遠位縁部の上に支持されて着座する、請求項１に記載のクイックマウント／リリース式の多位置型マイクロ流体弁機構。
【請求項１３】
前記クイックマウント／リリース機構は、前記回転弁アセンブリと前記アクチュエータアセンブリを装着状態に磁気的に取り付けるように構成された磁石を有する磁気アセンブリを含む、請求項１２に記載のクイックマウント／リリース式の多位置型マイクロ流体弁機構。
【請求項１４】
前記磁気アセンブリは、前記ポッドハウジングの前記遠位縁部が鉄系材料で構成されていることを含み、前記環状カラー部は前記磁石を環状リング磁石として組み込んでおり、これにより、前記回転弁アセンブリが前記装着状態の向きにされると、前記環状リング磁石と前記鉄系材料の遠位縁部が十分に磁気的に協働することで、前記回転弁アセンブリを前記アクチュエータアセンブリに対して取り外し可能に、迅速に、作動的に前記取付係合させることが、ねじ式取付構造を用いることなく可能である、請求項１３に記載のクイックマウント／リリース式の多位置型マイクロ流体弁機構。
【請求項１５】
前記磁気アセンブリは、鉄系材料で構成されたスリーブインサートであって、その遠位挿入部で前記鉄系材料の遠位縁部を提供するスリーブインサートを含み、前記遠位挿入部は、取り外し可能に前記回転弁アセンブリを前記装着状態にスライドさせて受容するように形状設定および寸法設定されており、前記スリーブインサートは、圧力嵌めにより前記受容キャビティ内に受容されるように形状設定および寸法設定された近位挿入部を有する、請求項１４に記載のクイックマウント／リリース式の多位置型マイクロ流体弁機構。
【請求項１６】
前記磁石は、前記回転弁アセンブリによって通電される１つ以上の電磁石で提供される、請求項１３に記載のクイックマウント／リリース式の多位置型マイクロ流体弁機構。
【請求項１７】
前記クイックマウント／リリース機構は、バヨネットアセンブリを含み、これは、前記ポッドハウジングの前記近位挿入部に取り付けられた一対の反対側の位置決めピンと、前記アクチュエータハウジングの遠位部によって画成された一対の対応するＪ字形スロットと、を有する、請求項１に記載のクイックマウント／リリース式の多位置型マイクロ流体弁機構。
【請求項１８】
各Ｊ字形スロットは、それぞれナブ部を含み、これは、前記回転弁アセンブリが装着状態にあるときに、前記一対の位置決めピンのうちの対応する位置決めピンをその中に保持するように形状設定および寸法設定されている、請求項１７に記載のクイックマウント／リリース式の多位置型マイクロ流体弁機構。
【請求項１９】
前記回転弁アセンブリと前記アクチュエータアセンブリとの間に接続されるばね装置をさらに含み、これは、前記回転弁アセンブリが装着状態にあるときに、それぞれの位置決めピンを対応するＪ字形スロットの対応するナブ部内へと付勢するように構成されている、請求項１８に記載のクイックマウント／リリース式の多位置型マイクロ流体弁機構。
【請求項２０】
前記回転弁アセンブリを前記アクチュエータアセンブリに対して装着状態で位置合わせして取り付けるために、前記一対の反対側の位置決めピンのうちの一方の位置決めピンは、他方の位置決めピンのそれとは異なる直径を有し、各Ｊ字形スロットは、対応する位置決めピンを受容するように寸法設定されている、請求項１７に記載のクイックマウント／リリース式の多位置型マイクロ流体弁機構。
【請求項２１】
前記クイックマウント／リリース機構は、前記ポッドハウジングの前記近位挿入部に取り付けられた傾斜コイルばねを有する傾斜コイルばね式ロックアセンブリを含む、請求項１に記載のクイックマウント／リリース式の多位置型マイクロ流体弁機構。
【請求項２２】
前記ポッドハウジングの前記近位挿入部は、前記傾斜コイルばねの少なくとも内側部分をその中に受容するように形状設定および寸法設定された環状溝を画成している、請求項２１に記載のクイックマウント／リリース式の多位置型マイクロ流体弁機構。
【請求項２３】
前記内周壁は、その上に戦略的に位置決めされた環状チャネルを画成しており、これにより、前記回転弁アセンブリを前記アクチュエータアセンブリに対して前記装着状態で位置決めするときに、同時に前記傾斜コイルばねの外側部分は前記環状チャネル内に受容される、請求項２２に記載のクイックマウント／リリース式の多位置型マイクロ流体弁機構。
【請求項２４】
前記クイックマウント／リリース機構は、前記回転弁アセンブリを装着状態に維持するために、前記回転弁アセンブリと前記アクチュエータアセンブリとの間で発生する３５．８９Ｎ〜４４．４８Ｎの範囲内の偏心力に耐えるように構成されている、請求項１に記載のクイックマウント／リリース式の多位置型マイクロ流体弁機構。
【手続補正２】
【補正対象書類名】明細書
【補正対象項目名】０１０７
【補正方法】変更
【補正の内容】
【０１０７】
また、本発明について、それを実施するための好ましい形態およびその変形例に関して説明したが、添付の請求項の範囲内で、これらに対して他の多くの変更を実施できることは、当業者であれば理解できるであろう。よって、本発明の範囲は、上記の説明によって決して限定されるものではなく、添付の請求項を参照することによって完全に決まるものである。
本発明は、たとえば、以下のような態様で実現することもできる。
適用例１：
駆動アセンブリに作動的に取り付けられるクイックマウント／リリース式の多位置型マイクロ流体弁機構であって、
アクチュエータアセンブリであって、
近位部および遠位部を有するとともに、その中を通って延びる貫通室を画成しているアクチュエータハウジングであって、前記遠位部は、遠位において該アクチュエータハウジングの遠位縁部で終端している内周壁を有し、前記内周壁は、前記貫通室の遠位部で受容キャビティ内への開口を画成している、アクチュエータハウジングと、
シャフト回転軸の周りでの回転用に、前記貫通室内に回転配置されたアクチュエータシャフトであって、駆動アセンブリに連結するように構成された近位端と、前記受容キャビティ内で終端している遠位端と、を有するアクチュエータシャフトと、を備えるアクチュエータアセンブリと、
弁シャフトを回転可能に支持するポッドハウジングを有する回転弁アセンブリであって、前記弁シャフトは、前記ポッドハウジングから近位に延びる近位端部を有し、前記ポッドハウジングは、前記アクチュエータハウジングから切り離された非装着状態と装着状態との間で軸方向にスライドして前記アクチュエータアセンブリの前記受容キャビティ内に受容されるように形状設定および寸法設定された近位挿入部を有し、装着状態では、前記挿入部は、前記アクチュエータハウジングの内周壁に密接係合しており、さらに、前記弁シャフトの前記近位端部は、前記アクチュエータシャフトの前記遠位端によるクロックを受けるとともに、それに作動的に係合している、回転弁アセンブリと、
前記回転弁アセンブリを前記アクチュエータアセンブリに対して取り外し可能に、迅速に、前記装着状態で作動的に取付係合させることを、ねじ式取付構造を用いることなく可能とするように、前記回転弁アセンブリの前記近位挿入部と前記アクチュエータハウジングの前記遠位部との間で協働するクイックマウント／リリース機構と、を含む弁機構。
適用例２：
前記クイックマウント／リリース機構は、
前記アクチュエータハウジングの遠位部に沿って配置された第１のハウジング窓であって、前記受容キャビティ内に連通するように前記アクチュエータハウジングの外壁から前記内周壁まで及ぶ第１のハウジング窓と、
第１のクリップアセンブリであって、後退位置と延出状態との間で径方向に動くように、前記ポッドハウジングの挿入部に結合された第１のボタン部と、前記第１のボタン部を径方向外向きに前記延出状態に向けて付勢する第１の付勢装置と、を有する第１のクリップアセンブリと、を含み、
前記第１のボタン部が前記後退位置にあるときには、前記弁アセンブリを前記非装着状態から前記装着状態に移行可能に、前記ポッドハウジングの前記挿入部を前記アクチュエータアセンブリの前記内壁の中に手で挿入することが可能であり、
前記ボタン部が前記延出状態にあって、かつ前記弁アセンブリが前記装着状態にあるときに、前記ボタン部は、その動作中に軸方向に離脱することを防ぐようにして、前記第１のハウジング窓の中に貫通して径方向に延出するようにサイズ設定および寸法設定されている、適用例１のクイックマウント／リリース式の多位置型マイクロ流体弁機構。
適用例３：
前記クイックマウント／リリース機構は、
前記第１のハウジング窓と略反対の方位に、前記アクチュエータハウジングの遠位部に沿って配置された第２のハウジング窓であって、前記受容キャビティ内に連通するように前記アクチュエータハウジングの前記外壁から前記内周壁まで及ぶ第２のハウジング窓と、
第２のクリップアセンブリであって、その後退位置とその延出状態との間で径方向に動くように、前記第１のクリップアセンブリと略反対のその方位で前記ポッドハウジングの挿入部に結合された第２のボタン部と、前記第２のボタン部を径方向外向きに前記延出状態に向けて付勢する第２の付勢装置と、を有する第２のクリップアセンブリと、をさらに含み、
前記第２のボタン部が前記その後退位置にあるときには、前記弁アセンブリを前記非装着状態から前記装着状態に移行可能に、前記ポッドハウジングの前記挿入部を前記アクチュエータアセンブリの前記内壁の中に手で挿入することが可能であり、
前記第２のボタン部が前記延出状態にあって、かつ前記弁アセンブリが前記装着状態にあるときに、前記第２のボタン部は、その動作中に軸方向に離脱することを防ぐようにして、前記第２のハウジング窓の中に貫通して径方向に延出するようにサイズ設定および寸法設定されている、適用例２のクイックマウント／リリース式の多位置型マイクロ流体弁機構。
適用例４：
前記弁アセンブリと前記アクチュエータハウジングとの間で協働するアライメント装置であって、前記装着状態においてそれらの間で位置合わせされた取り付けを確保するためのアライメント装置をさらに含む、適用例３のクイックマウント／リリース式の多位置型マイクロ流体弁機構。
適用例５：
前記アライメント装置は、前記第１の窓および対応する前記第１のボタン部を含み、これらは、前記第２の窓および対応する第２のボタン部のそれとは異なる横断面フットプリントを有する、適用例４のクイックマウント／リリース式の多位置型マイクロ流体弁機構。
適用例６：
前記アライメント装置は、前記第１の窓および対応する前記第１のボタン部を含み、これらは、前記第２の窓および対応する第２のボタン部のそれから前記回転軸に沿って軸方向に離間している、適用例４のクイックマウント／リリース式の多位置型マイクロ流体弁機構。
適用例７：
前記第１と第２の付勢装置は、約５ｌｂｓ／ｉｎ〜約２０ｌｂｓ／ｉｎの範囲内のそれぞれの径方向ばね定数で、それぞれ前記第１のボタン部と第２のボタン部を径方向外向きに付勢している、適用例３のクイックマウント／リリース式の多位置型マイクロ流体弁機構。
適用例８：
前記第１のボタン部と前記第２のボタン部の各々は、前記回転軸に対して略垂直に向いた略平坦な上壁をそれぞれ有し、それぞれの延出状態では、それぞれの前記上壁は、それぞれ前記第１のボタン部と前記第２のボタン部が前記延出状態から前記後退状態に向けて動かされない限り、前記弁アセンブリが前記装着状態から前記非装着状態に向けて動くことを阻止する、適用例３のクイックマウント／リリース式の多位置型マイクロ流体弁機構。
適用例９：
前記第１のボタン部と前記第２のボタン部の各々は、それぞれの上壁と交差する急峻な外向きテーパ状の底壁を有する、適用例８のクイックマウント／リリース式の多位置型マイクロ流体弁機構。
適用例１０：
前記第１のボタン部と前記第２のボタン部は、半円形の横断面寸法をそれぞれ有する略半円筒状であり、
前記第１の窓と前記第２の窓の各々は、内側上方に向かうテーパ状であるそれぞれの上側内縁によって部分的に画成されており、前記弁アセンブリが装着状態から非装着状態に向けて手で付勢されると、前記第１のボタン部と前記第２のボタン部の各々は、その曲面状の上壁がそれぞれ対応する前記第１の窓と前記第２の窓の上側内縁と接触することによって、それが延出状態から後退状態に向けてそれぞれの径方向内側へ向かう動きが促される、適用例３のクイックマウント／リリース式の多位置型マイクロ流体弁機構。
適用例１１：
前記第１の窓と第２の窓の各々の上側内縁の、それぞれ前記内側上方に向かうテーパ状は、約３５°〜約５５°の範囲内である、適用例１０のクイックマウント／リリース式の多位置型マイクロ流体弁機構。
適用例１２：
前記弁アセンブリは、前記ポッドハウジングの前記挿入部の遠位部に結合された環状カラー部をさらに有し、前記挿入部の外面は略円筒状であり、
前記装着状態において、前記カラー部は、前記アクチュエータハウジングの前記遠位縁部の上に支持されて着座する、適用例１のクイックマウント／リリース式の多位置型マイクロ流体弁機構。
適用例１３：
前記クイックマウント／リリース機構は、前記弁アセンブリと前記アクチュエータアセンブリを装着状態に磁気的に取り付けるように構成された磁石を有する磁気アセンブリを含む、適用例１のクイックマウント／リリース式の多位置型マイクロ流体弁機構。
適用例１４：
前記磁気アセンブリは、前記ポッドハウジングの前記遠位縁部が鉄系材料で構成されていることを含み、前記環状カラーは前記磁石を環状リング磁石として組み込んでおり、これにより、前記弁アセンブリが前記装着状態の向きにされると、前記リング磁石と前記鉄系材料の遠位縁部が十分に磁気的に協働することで、前記回転弁アセンブリを前記アクチュエータアセンブリに対して取り外し可能に、迅速に、作動的に前記取付係合させることが、ねじ式取付構造を用いることなく可能である、適用例１３のクイックマウント／リリース式の多位置型マイクロ流体弁機構。
適用例１５：
前記磁気アセンブリは、鉄系材料で構成されたスリーブインサートであって、その遠位挿入部で前記鉄系材料の遠位縁部を提供するスリーブインサートを含み、前記遠位挿入部は、取り外し可能に前記弁アセンブリを前記装着状態にスライドさせて受容するように形状設定および寸法設定されており、前記スリーブインサートは、圧力嵌めにより前記受容キャビティ内に受容されるように形状設定および寸法設定された近位挿入部を有する、適用例１４のクイックマウント／リリース式の多位置型マイクロ流体弁機構。
適用例１６：
前記磁石は、前記弁アセンブリによって通電される１つ以上の電磁石で提供される、適用例１３のクイックマウント／リリース式の多位置型マイクロ流体弁機構。
適用例１７：
前記クイックマウント／リリース機構は、バヨネットアセンブリを含み、これは、前記ポッドハウジングの前記近位挿入部に取り付けられた一対の反対側の位置決めピンと、前記アクチュエータハウジングの遠位部によって画成された一対の対応するＪ字形スロットと、を有する、適用例１のクイックマウント／リリース式の多位置型マイクロ流体弁機構。
適用例１８：
各Ｊ字形スロットは、それぞれナブ部を含み、これは、前記弁アセンブリが装着状態にあるときに、前記一対の位置決めピンのうちの対応する位置決めピンをその中に保持するように形状設定および寸法設定されている、適用例１７のクイックマウント／リリース式の多位置型マイクロ流体弁機構。
適用例１９：
前記弁アセンブリと前記アクチュエータアセンブリとの間に接続されるばね装置をさらに含み、これは、前記弁アセンブリが装着状態にあるときに、それぞれの位置決めピンを対応するＪ字形スロットの対応するナブ部内へと付勢するように構成されている、適用例１８のクイックマウント／リリース式の多位置型マイクロ流体弁機構。
適用例２０：
前記弁アセンブリを前記アクチュエータアセンブリに対して装着状態で位置合わせして取り付けるために、前記一対の反対側の位置決めピンのうちの一方の位置決めピンは、他方の位置決めピンのそれとは異なる直径を有し、各Ｊ字形スロットは、対応する位置決めピンを受容するように寸法設定されている、適用例１７のクイックマウント／リリース式の多位置型マイクロ流体弁機構。
適用例２１：
前記クイックリリース／マウント機構は、前記ポッドハウジングの前記挿入部に取り付けられた傾斜コイルばねを有する傾斜コイルばね式ロックアセンブリを含む、適用例１のクイックマウント／リリース式の多位置型マイクロ流体弁機構。
適用例２２：
前記ポッドハウジングの前記挿入部は、前記傾斜コイルばねの少なくとも内側部分をその中に受容するように形状設定および寸法設定された環状溝を画成している、適用例２１のクイックマウント／リリース式の多位置型マイクロ流体弁機構。
適用例２３：
前記内周壁は、その上に戦略的に位置決めされた環状チャネルを画成しており、これにより、前記弁アセンブリを前記アクチュエータアセンブリに対して前記装着状態で位置決めするときに、同時に前記傾斜コイルばねの外側部分は前記環状チャネル内に受容される、適用例２２のクイックマウント／リリース式の多位置型マイクロ流体弁機構。
適用例２４：
前記クイックマウント／リリース機構は、前記弁アセンブリを装着状態に維持するために、前記弁アセンブリと前記アクチュエータアセンブリとの間で発生する約８ｌｂｓ〜約１０ｌｂｓの範囲内の偏心力に耐えるように構成されている、適用例１のクイックマウント／リリース式の多位置型マイクロ流体弁機構。